(57)【要約】      （修正有）【課題】アクチュエータに連結されたブラケットの振動防止をすること。【解決手段】アクチュエータ１０４とともに使用するブラケットアセンブリを説明する。例示的な装置は、第１の開口部および第２の開口部を画定する、ブラケット１０６を含む。第１の開口部は、締結具１０８を受容して、ブラケット１０６の第１の端部をアクチュエータ１０４に連結する。第２の開口部の１つ以上は、締結具を受容して、コントローラ１０２をブラケット１０６に連結する。アクチュエータ１０４は、ブラケット１０６の第１の側にあり、コントローラ１０２は、ブラケット１０６の第２の側にある。例示的な装置はまた、ブラケット１０６に連結される調整器も含む。調整器は、ブラケット１０６の第２の端部とアクチュエータ１０４との間の距離を変動させ、アクチュエータ１０４に対して第２の端部を支持する。【選択図】図１
2018123965.tif 000002
【特許請求の範囲】
【請求項１】
装置であって、
第１の開口部および第２の開口部を画定する、ブラケットであって、前記第１の開口部は、締結具を受容して、前記ブラケットの第１の端部をアクチュエータに連結し、前記第２の開口部の１つ以上は、締結具を受容して、コントローラを前記ブラケットに連結し、前記アクチュエータは、前記ブラケットの第１の側にあり、前記コントローラは、前記ブラケットの第２の側にある、ブラケットと、
前記ブラケットに連結される調整器であって、前記ブラケットの第２の端部と前記アクチュエータとの間の距離を変動させて、前記アクチュエータに対して第２の端部を支持する、調整器と、を備える、装置。
【請求項２】
前記ブラケットは、前記アクチュエータの長手方向軸に略平行である、請求項１に記載の装置。
【請求項３】
前記調整器は、前記第２の開口部の１つを通って延在して、前記コントローラを前記ブラケットに連結する、請求項１または２に記載の装置。
【請求項４】
前記調整器は、前記コントローラにねじ込み可能に係合して、前記調整器を前記ブラケットに連結する、請求項１〜３のいずれかに記載の装置。
【請求項５】
前記調整器は、細長い本体と、基部と、を備え、前記基部は、前記アクチュエータに係合し、前記細長い本体は、前記ブラケットまたは前記コントローラのうちの１つ以上にねじ込み可能に係合して、前記ブラケットの前記第２の端部と前記アクチュエータとの間の前記距離を変動させることを可能にする、請求項１〜４のいずれかに記載の装置。
【請求項６】
前記細長い本体にねじ込み可能に係合し、前記ブラケットの前記第１の側に係合して、前記ブラケットに対して前記細長い本体の位置を固定するためのロックナットをさらに備える、請求項１〜５のいずれかに記載の装置。
【請求項７】
工具を受容して前記調整器を動作させるために前記基部に形成される、開口部をさらに備える、請求項５に記載の装置。
【請求項８】
前記基部は、円板を備える、請求項５又は７に記載の装置。
【請求項９】
前記基部は、前記ブラケットアセンブリの振動を緩衝するために、弾性材料で構成される、請求項５、７、８のいずれかに記載の装置。
【請求項１０】
装置であって、
第１の開口部および第２の開口部を画定する、ブラケットであって、前記第１の開口部は、締結具を受容して、前記ブラケットの第１の端部をアクチュエータに連結し、前記第２の開口部の１つ以上は、締結具を受容して、コントローラを前記ブラケットに連結し、前記アクチュエータは、前記ブラケットの第１の側にあり、前記コントローラは、前記ブラケットの第２の側にある、ブラケットと、
前記ブラケットに連結され、振動を緩衝するように調節可能である、調整器と、を備える、装置。
【請求項１１】
前記ブラケットは、前記アクチュエータの長手方向軸に略平行である、請求項１０に記載の装置。
【請求項１２】
前記調整器は、前記第２の開口部の１つを通って延在して、前記コントローラを前記ブラケットに連結する、請求項１０又は１１に記載の装置。
【請求項１３】
前記調整器は、前記コントローラにねじ込み可能に係合して、前記調整器を前記ブラケットに連結する、請求項１０〜１２のいずれかに記載の装置。
【請求項１４】
前記調整器は、細長い本体と、基部と、を備え、前記基部は、前記アクチュエータに係合し、前記細長い本体は、前記ブラケットまたは前記コントローラのうちの１つ以上にねじ込み可能に係合して、前記ブラケットの第２の端部と前記アクチュエータとの間の距離を変化させることを可能にする、請求項１０〜１３のいずれかに記載の装置。
【請求項１５】
前記細長い本体にねじ込み可能に係合し、前記ブラケットの前記第１の側に係合して、前記ブラケットに対して前記細長い本体の位置を固定するためのロックナットをさらに備える、請求項１０〜１４のいずれかに記載の装置。
【請求項１６】
工具を受容して前記調整器に係合させるために前記基部によって画定される、開口部をさらに備える、請求項１４に記載の装置。
【請求項１７】
前記調整器の前記基部は、円板を備える、請求項１４又は１６に記載の装置。
【請求項１８】
前記基部は、弾性材料で構成される、請求項１４、１６、１７のいずれかに記載の装置。
【請求項１９】
装置であって、
開口部を画定するブラケットであって、前記開口部のいくつかは、締結具を受容して、前記ブラケットの第１の端部をアクチュエータに連結し、他の開口部の１つ以上は、締結具を受容して、コントローラを前記ブラケットに連結する、ブラケットと、
前記ブラケットの第２の端部と前記アクチュエータとの間の距離を変化させて、前記アクチュエータに対して前記第２の端部を支持して、前記ブラケットアセンブリの振動を緩衝するための手段と、を備える、装置。
【請求項２０】
前記第２の端部と前記アクチュエータとの間の距離を変化させるための前記手段は、前記アクチュエータの長手方向軸に略平行にするための、前記ブラケットの調整を可能にする、請求項１９に記載の装置。
【請求項２１】
前記第２の端部と前記アクチュエータとの間の距離を変化させるための前記手段は、細長い本体と、基部と、を備え、前記基部は、前記アクチュエータを係合し、前記細長い本体は、前記ブラケットまたは前記コントローラのうちの１つ以上にねじ込み可能に係合して、前記ブラケットの前記第２の端部と前記アクチュエータとの間の前記距離を変化させることを可能にする、請求項１９又は２０に記載の装置。
【発明の詳細な説明】
【技術分野】
【０００１】
本特許は、全般的に、ブラケットアセンブリに関し、より具体的には、アクチュエータとともに使用するブラケットアセンブリに関する。
【背景技術】
【０００２】
コントローラは、アクチュエータの位置を測定し、制御するために使用され得る。いくつかの実施例において、ブラケットは、コントローラをアクチュエータに連結するために使用され得る。
【発明の概要】
【０００３】
例示的な装置は、第１の開口部および第２の開口部を画定する、ブラケットを含む。第１の開口部は、締結具を受容して、ブラケットの第１の端部をアクチュエータに連結する。第２の開口部の１つ以上は、締結具を受容して、コントローラをブラケットに連結する。アクチュエータは、ブラケットの第１の側にあり、コントローラは、ブラケットの第２の側にある。例示的な装置はまた、ブラケットに連結される調整器も含む。調整器は、ブラケットの第２の端部とアクチュエータとの間の距離を変動させ、アクチュエータに対して第２の端部を支持する。
【０００４】
別の例示的な装置は、第１の開口部および第２の開口部を画定する、ブラケットを含む。第１の開口部は、締結具を受容して、ブラケットの第１の端部をアクチュエータに連結する。第２の開口部の１つ以上は、締結具を受容して、コントローラをブラケットに連結する。アクチュエータは、ブラケットの第１の側にあり、コントローラは、ブラケットの第２の側にある。装置はまた、ブラケットに連結され、振動を緩衝するように調節可能である、調整器も含む。
【図面の簡単な説明】
【０００５】
【図１】コントローラおよびアクチュエータを連結する、例示的なブラケットアセンブリを示す図である。
【図２】図１の例示的なブラケットアセンブリを示す図である。
【図３】図１のブラケットアセンブリの例示的なブラケットを示す図である。
【図４】例示的なブラケットアセンブリの例示的な調整器とアクチュエータとの間の係合の詳細図である。
【図５】図１の例示的なブラケットアセンブリを実現するために使用することができる、例示的な調整器を示す図である。
【発明を実施するための形態】
【０００６】
ある実施例を、上で確認した図面で示し、下で詳細に説明する。これらの実施例を説明する際に、類似するまたは同じ参照番号を使用して、同一または同様の要素を識別する。図面は、必ずしも一定の縮尺ではなく、図面のある特徴およびある外観は、明確さおよび／または簡潔さのために、縮尺において誇張されるか、または概略的に示され得る。加えて、本明細書の全体を通して複数の実施例が説明されている。任意の実施例による任意の特徴は、他の実施例による他の特徴とともに含まれ得るか、置換されるか、または組み合わせられ得る。
【０００７】
本明細書で開示される実施例は、制御システムのコントローラおよびアクチュエータを連結するための、例示的なブラケットアセンブリに関する。いくつかの既知の実施例において、締結具は、ブラケットの第１の端部をアクチュエータに連結し、ブラケットの第２
の端部は、支持されていないか、自由である。ブラケットアセンブリが使用される異なるアクチュエータが、異なる取付穴間隔および／または配設を伴う異なるヨークサイズを有するので、第２の端部は、支持されていない場合がある。しかしながら、第２の端部を支持されていないままにすると、プロセス流体が関連する制御弁を通って流れるときに、ブラケットの第２の端部が、調和的に振動することを可能にする。プロセス流体の振動周波数および制御弁システムの固有振動数がほぼ等しいときに、振動の大きさが増加する場合がある。ブラケットが振動すると、ブラケットをアクチュエータに連結する締結具が緩む、および／または破損する場合がある。
【０００８】
対照的に、本明細書で開示される例示的なブラケットアセンブリは、制御システムのアクチュエータおよび／または他の構成要素が振動する用途において、ブラケットをアクチュエータに連結する締結具が緩むおよび／または破損するのを実質的に防止し、一方でまた、例示的なブラケットアセンブリを、異なるヨークサイズ、ならびに／または異なる取付穴間隔および／もしくは配設を有する異なるアクチュエータモデルとともに使用することも可能にする。いくつかの実施例において、例示的なブラケットアセンブリは、ブラケットと、例示的な調整器または調整部材とを含み得る。ブラケットは、第１の端部と、第２の端部とを含み、複数の開口部および／または取付穴を画定する。
【０００９】
操作に際し、締結具および調整部材は、コントローラをブラケットに連結し、締結具は、ブラケットの第１の端部をアクチュエータ本体に連結する。コントローラをブラケットに連結した後に、調整部材が、その第２の端部に隣接するブラケットから延在し、よって、調整部材の弾性基部がアクチュエータ本体に係合し、第２の端部を支持し、および／または張力をかけた状態でブラケットを配置する。したがって、開示される実施例を使用すると、第１および第２のブラケットの双方が支持されるか、またはアクチュエータに機械的に連結され、ブラケットが振動すること、および既知の実施例において発生する関連する問題を防止する。
【００１０】
ブラケットに張力をかけるために、ブラケットが、アクチュエータ本体の長手方向軸に略平行になること、および／または第２の端部が完全に支持されることを確実にすることを可能にし、第２の端部とアクチュエータとの間の距離は、調整部材の操作（例えば、手動で回転させること）によって調整され得る。加えて、ブラケットに対する調整部材の移動を防止するために、調整部材の細長い本体をねじ込み可能に係合するロックナットが、ブラケットに対して締められ得る。
【００１１】
図１は、コントローラ１０２、アクチュエータ１０４、および例示的なブラケットアセンブリ１０５を示し、該例示的なブラケットアセンブリは、ブラケット１０６と、調整部材または調整器１０８とを含む。コントローラ１０２は、アクチュエータ１０４の位置に関連するフィードバックを決定し、提供するために使用され得、ブラケットアセンブリ１０５は、コントローラ１０２およびアクチュエータ１０４を連結するために使用され得る。
【００１２】
操作に際し、締結具１１０および調整器１０８は、ブラケット１０６の開口部２０２、２０４、および２０６（図２）を通って延在して、コントローラ１０２にねじ込み可能に係合することによって、コントローラ１０２をブラケット１０６に連結し、締結具２０７（図２）は、ブラケット１０６の開口部２０８および２１０（図２）を通って延在して、ブラケット１０６の第１の端部１１２をアクチュエータ１０４に連結する。ブラケット１０６の第２の端部１１４がアクチュエータ１０４によって支持される、または該アクチュエータに機械的に連結されることを可能にするために、調整器１０８は、ブラケット１０６から延在し、アクチュエータ１０４の表面１１６に係合する。アクチュエータ１０４に機械的に連結される第１の端部１１２および第２の端部１１４の双方を有することによっ
て、張力をかけた状態でブラケット１０６を配置することは、プロセス流体が関連する制御弁（図示せず）を通って流れるときに、振動を実質的に緩衝し、および／またはブラケット１０６が振動するのを実質的に防止する。
【００１３】
加えて、アクチュエータ１０４に直接連結または固定されるのではなく、支持される第２の端部１１４を有することで、ブラケットアセンブリ１０５を、異なるヨークサイズ、ならびに／または取付穴間隔および／もしくは取付穴配設を有する異なるアクチュエータモデルとともに使用することを可能にする。換言すれば、この実施例において、その第２の端部１１４に隣接してブラケット１０６を通って延在し、アクチュエータ１０４にねじ込み可能に係合するいかなる締結具もない。
【００１４】
図２は、例示的なブラケットアセンブリ１０５のブラケット１０６および調整器１０８を示す。示されるように、ブラケットアセンブリ１０５は、開口部２０２〜２０６を含み、該開口部を通って締結具１１０、および調整器１０８の細長い本体２１２が延在して、コントローラ１０２をブラケット１０６に連結する。他の実施例において、細長い本体２１２は、ブラケット１０６に接続され、および／またはねじ込み可能に係合され得るが、コントローラ１０２をブラケット１０６に連結するために使用されない。操作に際し、締結具２０７は、開口部２０８および２１０を通って延在して、第１の端部１１２をアクチュエータ１０４に連結する。図３は、締結具１１０または調整器１０８を伴わないブラケット１０６の平面図である。
【００１５】
図４は、調整器１０８の基部４０２とアクチュエータ１０４の表面１１６との間の係合の詳細図を示す。この実施例において、基部４０２は、第１の部分４０４と、第２の部分４０６とを含む。第１の部分４０４は、金属材料で構成され得、また、細長い本体２１２に連結（例えば、溶接）され得る。他の実施例において、第１の部分４０４および細長い本体２１２は、単一の材料片から一体的に形成される（例えば、単一の棒材片から機械加工される）。第２の部分４０６は、弾性材料で構成され得、また、例えば接着剤等の任意の好適な方法を使用して、第１の部分４０４に連結され得る。この実施例において、第１の部分４０４および第２の部分４０６は、円筒および／または円板形状を有する。しかしながら、代わりに、任意の他の形状（複数可）が使用され得る。
【００１６】
操作に際し、調整器１０８は、アクチュエータ１０４に対してブラケット１０６の第２の端部１１４を支持して、張力をかけた状態でブラケット１０６を配置するように、および／またはブラケット１０６の表面４０８が、アクチュエータ１０４の表面１１６に略平行になることを可能にするように調整（例えば、回転）され得る。調整器１０８が所望の位置になった時点で、細長い本体２１２をねじ込み可能に係合するロックナット４１０が、ロックナット４１０が表面４０８に係合してブラケット１０６および／またはアクチュエータ１０４に対して調整器１０８の位置を実質的に保持するまで、回転され得る。
【００１７】
図５は、本明細書で開示される実施例を実現するために使用され得る、例示的な調整部材または調整器５００を示す。調整器５００は、細長い本体２１２と、基部または足部５０２とを含む。この実施例において、足部５０２は、第１の部分５０４と、第２の部分５０６とを含み、該足部は、第１の部分５０４に連結される。第１の部分５０４は、開口部５０８を画定し、該開口部は、工具（図示せず）を受容して、調整器５００を回転させて、ブラケット１０６の第２の端部１１４とアクチュエータ１０４との間の距離を変更することを可能にする。第１の部分５０４は、金属材料で構成され得、第２の部分５０６は、弾性材料で構成され得る。
【００１８】
特定の例示的な方法、装置、および製品を本明細書で説明してきたが、本特許の適用範囲は、それらに限定されない。逆に、本特許は、文字通りに、または均等論の原則の下で
、添付の特許請求の範囲の範囲内に正当に該当する全ての方法、装置、および製品を包含するものである。
【図１】
2018123965.tif 000003
【図２】
2018123965.tif 000004
【図３】
2018123965.tif 000005
【図４】
2018123965.tif 000006
【図５】
2018123965.tif 000007
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
ブラケットアセンブリであって、
第１の端部と、第２の端部と、第１の側と、第２の側を有して、第１の開口部および第２の開口部を画定する、ブラケットであって、前記第１の開口部は、締結具を受容して、前記ブラケットの第１の端部をアクチュエータに連結し、前記第２の開口部の１つ以上は、締結具を受容して、コントローラを前記ブラケットに連結し、前記アクチュエータは、前記ブラケットの第１の側にあり、前記コントローラは、前記ブラケットの第２の側にある、ブラケットと、
前記アクチュエータの表面にねじ無しで係合する端部を有し、前記ブラケットに連結される調整器であって、前記ブラケットの第２の端部と前記アクチュエータとの間の距離を変動させて、調整器の端部とアクチュエータの表面との係合に基づいて、前記アクチュエータに対してブラケットの第２の端部を支持する、調整器と、を備える、ブラケットアセンブリ。
【請求項２】
前記ブラケットは、前記アクチュエータの長手方向軸に略平行である、請求項１に記載のブラケットアセンブリ。
【請求項３】
前記調整器は、前記第２の開口部の１つを通って延在して、締結具と調整器は、前記コントローラを前記ブラケットに連結する、請求項１または２に記載のブラケットアセンブリ。
【請求項４】
前記調整器は、細長い本体と、基部と、を備え、前記基部は、前記アクチュエータに係合する端部を有し、前記細長い本体は、前記ブラケットにねじ込み可能に係合して、前記ブラケットの前記第２の端部と前記アクチュエータとの間の前記距離を変動させることを可能にする、請求項３に記載のブラケットアセンブリ。
【請求項５】
前記細長い本体にねじ込み可能に係合し、前記ブラケットの前記第１の側に係合して、前記ブラケットに対して前記細長い本体の位置を固定するためのロックナットをさらに備える、請求項４に記載のブラケットアセンブリ。
【請求項６】
工具を受容して前記調整器を動作させるために前記基部に形成される、開口部をさらに備える、請求項４又は５に記載のブラケットアセンブリ。
【請求項７】
前記基部は、円板を備える、請求項４乃至６の何れかに記載のブラケットアセンブリ。
【請求項８】
前記基部は、前記ブラケットアセンブリの振動を緩衝するために、弾性材料で構成される、請求項４乃至７のいずれかに記載のブラケットアセンブリ。
【請求項９】
ブラケットアセンブリであって、
第１の開口部および第２の開口部を画定する、ブラケットであって、前記第１の開口部は、締結具を受容して、前記ブラケットの第１の端部をアクチュエータに連結し、前記第２の開口部の１つ以上は、締結具を受容して、コントローラを前記ブラケットに連結し、前記アクチュエータは、前記ブラケットの第１の側にあり、前記コントローラは、前記ブラケットの第２の側にある、ブラケットと、
ブラケットに連結されて、ブラケットから延びてネジ止め無しにアクチュエータの面に係合する端部を含み、振動を緩衝するように調節可能である、調整器と、を備え、
ブラケットの第１及び第２の端部は、調整器のアクチュエータとの係合に基づいて、アクチュエータに支持され又は機械的に連結されて、ブラケットの振動を防ぐ、ブラケットアセンブリ。
【請求項１０】
前記ブラケットは、前記アクチュエータの長手方向軸に略平行である、請求項９に記載のブラケットアセンブリ。
【請求項１１】
前記調整器は、前記第２の開口部の１つを通って延在して、締結具と調整器は、前記コントローラを前記ブラケットに連結する、請求項９又は１０に記載のブラケットアセンブリ。
【請求項１２】
前記調整器は、細長い本体と、基部と、を備え、前記基部は、前記アクチュエータに係合し、前記細長い本体は、前記ブラケットまたは前記コントローラのうちの１つ以上にねじ込み可能に係合して、前記ブラケットの第２の端部と前記アクチュエータとの間の距離を変化させることを可能にする、請求項９乃至１１のいずれかに記載のブラケットアセンブリ。
【請求項１３】
前記細長い本体にねじ込み可能に係合し、前記ブラケットの前記第１の側に係合して、前記ブラケットに対して前記細長い本体の位置を固定するためのロックナットをさらに備える、請求項１２に記載のブラケットアセンブリ。
【請求項１４】
工具を受容して前記調整器に係合させるために前記基部によって画定される、開口部をさらに備える、請求項１２又は１３に記載のブラケットアセンブリ。
【請求項１５】
前記調整器の前記基部は、円板を備える、請求項１２乃至１４の何れかに記載のブラケットアセンブリ。
【請求項１６】
前記基部は、弾性材料で構成される、請求項１２乃至１５のいずれかに記載のブラケットアセンブリ。
【請求項１７】
ブラケットアセンブリであって、
第１の端部と該第１の端部と反対側の第２の端部を有して、開口部を画定するブラケットであって、前記開口部のいくつかは、締結具を受容して、前記ブラケットの第１の端部をアクチュエータに連結し、他の開口部の１つ以上は、締結具を受容して、コントローラを前記ブラケットに連結する、ブラケットと、
前記ブラケットの第２の端部と前記アクチュエータとの間の距離を変化させて、アクチュエータの面にネジ止め無しに係合する端部を有し、該端部とアクチュエータの面との係合に基づいて、前記アクチュエータに対して前記ブラケットの第２の端部を支持して、前記ブラケットアセンブリの振動を緩衝するための手段と、を備える、ブラケットアセンブリ。
【請求項１８】
前記第２の端部と前記アクチュエータとの間の距離を変化させるための前記手段は、前記アクチュエータの長手方向軸に略平行にするための、前記ブラケットの調整を可能にする、請求項１７に記載のブラケットアセンブリ。
【請求項１９】
前記第２の端部と前記アクチュエータとの間の距離を変化させるための前記手段は、細長い本体と、基部と、を備え、前記基部は、前記アクチュエータを係合し、前記細長い本体は、前記ブラケットまたは前記コントローラのうちの１つ以上にねじ込み可能に係合して、前記ブラケットの前記第２の端部と前記アクチュエータとの間の前記距離を変化させることを可能にする、請求項１７又は１８に記載のブラケットアセンブリ。
【外国語明細書】
2018123965000001.pdf